(57)【特許請求の範囲】
【請求項１】
安全ロープ用のアンカー装置であって、次のことを含むアンカー装置：
１本のロッド又は管；
安全ロープの一端を受け入れロッド又は管の第一端部上に、それを配置又は一体化するための受入手段；
装置を直接又は間接的に建築物要素に固定するための固定手段；
ロッド又は管は、受入手段の近傍が小径端となるようなテーパ部を有すること。
【請求項２】
固定手段が固定される配置手段を更に含んでいる請求項１記載の装置。
【請求項３】
配置手段は固定手段を受け入れる二つ以上の位置を有する請求項２記載の装置。
【請求項４】
固定手段はロッド又は管の他端に第二端部を有することを特徴とする請求項１〜３のいずれか一つに記載の装置。
【請求項５】
第二端部の少なくとも一部はネジ切りされている請求項４記載の装置。
【請求項６】
固定手段は、ネジ切りされた第二端部に係合するに適した少なくとも一つのロックナットを含む請求項５記載の装置。
【請求項７】
ロックナットはロッド又は管の一部の周りを延びるネジ無しスリーブを含む請求項６記載の装置。
【請求項８】
配置手段は建築物要素に付設されるに適した請求項２〜７のいずれか一つに記載の装置。
【請求項９】
建築物要素は開口を有し、固定手段はこの開口を通過するか又は係合する請求項１〜８のいずれか一つに記載の装置。
【請求項１０】
建築物要素は配置手段と、固定手段の少なくとも一部の間に挟まれている請求項２記載の装置。
【請求項１１】
請求項１〜１０のいずれか一つに記載のアンカー装置を受け入れるための少なくとも一つの配置位置を有する建築物要素。
【請求項１２】
各位置はネジ孔である請求項１１記載の建築物要素。
【請求項１３】
各位置は空孔であって、固定手段を通して配置手段と係合させ、そして建築物要素を配置手段と、固定手段の少なくとも一部との間に挟ませる寸法である請求項１２記載の建築物要素。
【請求項１４】
請求項１〜１０のいずれか一つに記載のアンカー装置と、それを受け入れるための少なくとも一つの配置位置を有する建築物要素との組み合わせ。
【請求項１５】
各位置はネジ孔である請求項１４記載の組み合わせ。
【請求項１６】
各位置は空孔であって、固定手段を通して配置手段と係合させ、そして建築物要素を配置手段と、固定手段の少なくとも一部との間に挟ませる寸法である請求項１４記載の組み合わせ。
【発明の詳細な説明】
【０００１】
【発明の属する技術分野】
本発明は安全ハーネスシステム、より詳細には安全ロープを建物に固定する装置に関する。
【０００２】
【従来の技術】
現在、構造的に固定される安全ハーネス及びロープであって、もし安全ハーネスの使用者が落下した場合、それらの落下が安全ロープによって支えられるようにしたものが利用されている。この全体のシステムの完全さは、落下する人による荷重を受けるアンカーポイントに固定されたロープに依存している。
【０００３】
【発明が解決しようとする課題】
構築中の建築物というものは適切なアンカーポイントを有しない。そのため、もし安全ハーネスが切れたり、又、適切でないアンカーポイントへ付設されたりすると安全でなかったり、作業者が安全ハーネスを着用しないようなことが起きる。
更に問題なのは、建築物構造、特には屋根構造は建築物が一旦完成されると、被覆されているものであるから、安全ロープを仕上された建築物構造に付設することが不可能であるということである。
【０００４】
【課題を解決するための手段】
従来技術のこれらの欠陥を解消するため、本発明は次のものよりなる安全ロープ用のアンカー装置を提供する：
安全ロープを受け入れる受入手段；及び
この受入手段を建築物構造に固定するための固定手段。
上記の受入手段は、完全なリングであるか、部分が可動のリングであるか、あるいは不完全なリング等である。
好ましくはアンカー装置は、負荷の元に変形可能の部分を含む。
好ましくは受入手段は固定手段から離隔している。
好ましくは受入手段はロッド又は管に配置される。これらロッド又は管は、予め規定された負荷の元に塑性変形する。
好ましくはこれらロッド又は管は、受入手段の近くで小径断面をなすテーパ部を有する。
好ましくは装置は建築物へ付設するための、配置手段を有し、この配置手段は固定手段を受け入れる一つ以上の位置を有している。
好ましくはこの装置は、ロッドの一端に配置された一つのリングを有し、ロッドは、リングから離れる程に径を増大する。
【０００５】
ロッドのネジが螺合される孔が別の配置手段に配置されており、この配置手段が建築物構造に固定されているか、あるいは、前記ロッドが建築物構造自体のネジ孔に螺合される。この配置手段は、ロッドが構造物を通過し、そして構造物をロッドと配置手段とで挟みこむようなものである。
この装置は好ましくは補助的なロックナットを有し、又、ロッドは完全に挿入された時、ネジの一部が露出するようなネジが設けられており、そしてロックナットはこの露出部のロッドに固定されることで配置手段又は構造物に対してしっかりと支えられる。
好ましくはロックナットは、受入手段に与えられた所定の負荷の元に変形する。
好ましくはロッドの長さは屋根トラスに固定された時、ロッドは屋根被覆を通り抜け、受入手段が屋根の被覆を越えるようにされる。
【０００６】
本発明は、又、アンカー装置を受け入れるための、梁又はトラス等をその範囲内に有する。
これらの手段は、一つ以上の開口であって、これを通って安全手段が固定手段と係合する。もしクリップが使用されると、それはアンカー装置がない時に梁又はトラスに係合する。
別例として、受入手段は固定手段が係合するところの一つ以上の開口又は切り欠きである。一つの形態として、これらはネジ孔であって、それに対して固定手段のネジ部が係合される。
別例として、開口はネジを有さず、バネ負荷の球又は歯のような保持機構を備えていて、開口内へ挿入された時、固定手段の部分に係合する。
好ましい形態として、梁は複数のネジ開口を備えていて、それに対してアンカー装置のネジロッドが螺合される。
【０００７】
【発明の実施の形態】
図１〜図５を参照すると、アンカー装置１０は、リング１２、ロッド１４、ロックナット１６、及び配置手段１８を有している。リング１２はロッド１４の一端に固定されている。これらリング１２及びロッド１４は、一体的に形成されても良いし、別体のものが、溶接によって一体にされても良い。配置手段１８は好ましくはアルミニウム製である。好ましくは、それらが、ステンレススチール製であることである。ロッド１４は２０でテーパ状をなしており、リング１２の隣接部で約８ｍｍであったものが、このリング１２から約９０ｍｍのところで約１３．７ｍｍと径を増している。このテーパ部は、必要なら更に大径にしても良い。好ましくはテーパ角度は一定のままが良い。ロッド１４はその自由端側に一定の径部２２を有する。この一定径部２２はネジが切られている。この一定径部は好ましくは長さが約６０ｍｍであり、その約４０ｍｍにはネジが切られている。ロックナット１６は中央にネジ孔２６を有していて、それにロッド１４のネジ部２４が螺合される。
【０００８】
配置手段１８は、中央の受入れブロック３０と、二つの側翼３２とを有する。各翼３２は、複数の通孔３６を備えていて、それらにボルトまたはネジ棒が通ることができる。
ブロック３０は、ネジの切られた三つの受入れ孔３８ａ，３８ｂ，３８ｃを有していて、それらはロッド１４のネジ部を受入れる寸法となっている。中央孔３８ａはピン３４に対して直角であるが、受入れ孔３８ｂ，３８ｃは、ピン３４に対して平行である。もし必要なら受入れ孔３８ｂ，３８ｃは一つであってもよい。頂面４０及び側面４２は平面であると共にそれらの受入れ孔に対して直角である。
【０００９】
図１を見ると、この組み立て形態においては、ロッド１４は受入れ孔３８ａに螺合しておりまた側翼３４は屋根トラス３９の各側に位置するように枢着されている。
図４を参照すると、この装置は９０度回転されていて、今や側翼３４は屋根トラス３９の頂面上にある。装置をボルトで固定するかわりに、木ネジをこの孔３２を通してトラスに螺合することができる。
図５を見ると、ロッド１４は側方受入れ孔３８ｃに螺合され、装置は長手方向に延びているビーム５０の垂直側面上に位置している。再び木ネジ（図示せず）が装置をビーム５０に固定するために使用することができる。
図５に見られるように、ロッド１４は屋根の外装材５２内の通孔を通って延びることによって、リング１２が屋根外装材が付設された後も露出するようにすることができる。水が通孔を通って侵入するのを防ぐために、シール５４が用意されている。同様のことは、屋根上に屋根外装材が配置されリングが露出したままとされる図１、２、及び４の例にも適用される。この屋根外装材が適用される際には、一つの通孔がドリルによって開けられ、ロッド１４が配置手段１８から抜かれ、該通孔を通されそして再び配置手段１８に付設される。
【００１０】
図６及び７は別の配置手段６０の例を示している。リング１２、ロッド１４、及びロックリングはそのままである。
この配置手段ではアーム６５に開口６４、アーム６５に平行に又は直角にロッド１４を受け入れるためのネジ形成配置部６６、６８を備えた逆Ｌ字状板６２を有している。これらの配置部はアーム６５又はアーム６７にナットが溶着されたものである。
この配置手段６０は、図７に示されるように屋根トラス７０にボルト７２又は木ネジによって付設される。もしボルトが使われる時には、トラス７０のいずれかの側に圧板７４が好ましくは使用される。
図８は翼８０が円形断面のロッドまたは管上に付設されるように湾曲している例を示している。他の全ての部分は変わらない。翼８０の湾曲度は、異なる径の棒または管に対応するものが選択される。
【００１１】
図９及び１０は、延長されたロッド９０が直接的に屋根トラス又は梁９２又は同様のものに直接的に配置される例を示している。
このロッド９０のテーパー部９４は先行する実施例と同じであるが、ネジ部９６はより長いものとなっている。この部分９６は、梁９２内の空孔９８を通り抜けれるような長さであるネジ付きの保持円板又は圧板１００が用意され、それに対して、ロッド９２の自由端が螺合される。好ましくはワッシャー１０２がロックナット１８と梁９２との間に挿入され、ロックナット１８を通して伝達された全ての荷重を分散させる。図９及び１０の装置は十分な強度を有する屋根構造または壁構造にも使用することができる。
図１１及び１２はネジ付き開口１１２内にネジ付きロッド１４を直接的に受け入れるに適したトラス又は梁１１０を示している。ロッド１４は直接的にこの開口内に螺合され、そしてロックナット１８によってその位置にロックされる。このネジ付き開口は梁１１０に直接的に形成されるか又はそれはネジ付きインサートであっても良い。梁の形状については重要ではなく他の形状も使用できる。図１１は開口１１２から下方に延びているネジ付きロッド１４を示しているが、これは本質的なものではない。
【００１２】
図１３及び１４は、図１２の梁１１０への付設のための保持クリップ１２０を示している。このクリップは梁１１０の下方部１２４を受け入れるようなサイズの保持溝１２２を有している。好ましくはこの溝は延長部１２６を有しており、この延長部はクリップ１２０を梁１１０上に保持するために、表面１２８と係合する。
クリップ１２０の上部はロッド１４のネジ付き端を受け入れるためのネジ付き開口１３０を有しており、ロッド１４は梁１１０内の、大径でネジの付いていない孔又は溝内を通る。
図１５は、図１１及び１２及び／又は図１３及び１４のアンカー装置を備えた図１２または１４の梁に従って製作された屋根トラスを示している。
【００１３】
アンカー装置の全ての実施例の作業は基本的には同じであるので、図１〜５を利用してこれを説明する。
安全ロープ８がリング１２と使用者とに付設された時、それは通常、非緊張状態であり、そしてロープの長さはリング１２と使用者との間の距離より大きい。もし使用者が支持を失なって落下すると、当初彼等は、ロープ８が緊張される迄は非拘束状態にある。この時点ではかなりの速度を有するから、彼は、ロープ８とアンカー装置によって体に力を加え、止められなければならない。ロープ８は若干延びることができるか又は、衝撃を吸収するほぐれた縫い部を有するが、これにも拘わらず、加速するに従ってロープ内及びアンカー手段１０に生じる力は大きい。
これらの力は、ロッド１４の軸に対して直角方向に適用されようとし、そしてもし曲げ力が塑性限界下であれば、ロッド１４は弾性的に変形する。もしこの曲げ力が弾性限界を越えるとロッド１４は塑性的に変形し始める。かくしてこの部分は曲がる。しかしながら、適用された力の方向へ曲がる時、その部分の曲げモーメントは減少し、そしてそれによって、力が増大する程に、全体のロッドはリング１２から一定の径部２２へと徐々に曲がる。
【００１４】
もし力がなお大きいと、ロッド１４は面４０を備えたロックナットの接合部９で曲がり始める。ロッドが接合部９の周りに曲がると、ロックナット１８の円錐状鞘部１１は、曲がるロッドによって形が壊れ曲がる。
最後に、もし衝撃が十分に高いと、ロッド１４のテーパー部２０は与えられる力によって力の方に延びようとしてまっすぐになる。
徐々に曲がるロッド１４及びロックナット１８を用意することによって、落下エネルギーは多くの金属の働きによって消散する。一定断面のロッド１４も本発明の範囲内にあるけれども、一定断面のロッドは作用される荷重から最も遠い地点、配置面４０との接合部においてのみ曲がることが理解されよう。
ロッドに沿った曲げは生せず、従って大径のロッドが必要となる。
実施例に示されるように、この装置の特別の形式の配置部は本発明の作用に本質的ではなく、この装置は屋根梁又はトラス上に直接もしくは配置ブラケットを介して配置されることができる。
明らかに配置ブラケット等は落下する人間によって与えられる負荷以下で破壊するものであってはならない。
【００１５】
本発明の精神及び範囲を逸脱することなく当業者には、記載の実施例から多くの修正及び変形が可能なことは理解されよう。
本発明のアンカー装置は進歩性があり、従来例に比して大きな安全性を提供できることが理解されよう。
【図面の簡単な説明】
【図１】  本発明の現場での第１実施例の拡大図である。
【図２】  図１の例の側面図である。
【図３】  図１の例の破断図である。
【図４】  屋根構造の頂部に配置された図１の例の側面図である。
【図５】  水平梁上に配置された図１の例の側面図である。
【図６】  本発明の第２実施例の側面図である。
【図７】  図６の例の背面図である。
【図８】  本発明の第３実施例の背面図である。
【図９】  本発明の第４実施例である。
【図１０】  図９の実施例の破断図である。
【図１１】  本発明の第５実施例である。
【図１２】  図１１の実施例の断面図である。
【図１３】  本発明の第６実施例である。
【図１４】  図１３の実施例の側面図である。
【図１５】  本発明の発明思想を採用した屋根トラスの側面図である。
【図１】
0004028687.tif 000002
【図２】
0004028687.tif 000003
【図３】
0004028687.tif 000004
【図４】
0004028687.tif 000005
【図５】
0004028687.tif 000006
【図６】
0004028687.tif 000007
【図７】
0004028687.tif 000008
【図８】
0004028687.tif 000009
【図９】
0004028687.tif 000010
【図１０】
0004028687.tif 000011
【図１１】
0004028687.tif 000012
【図１２】
0004028687.tif 000013
【図１３】
0004028687.tif 000014
【図１４】
0004028687.tif 000015
【図１５】
0004028687.tif 000016